(57)【要約】      （修正有）【課題】設置した場所によらずに、容易に情報処理装置に基づく情報を取得することを可能とする情報処理装置を提供する。【解決手段】情報処理装置は、筐体１００内部に設けられ、発熱を伴う電子機器（電子回路１０１、電源回路１０３、・・・）と、前記筐体内部を冷却する冷却ファン１０２と、冷却ファンの回転を制御する回転制御手段１０８と、所定の情報を記憶する記憶手段と、記憶手段に記憶されている情報の出力を指示する指示手段と、指示手段の指示に基づいて、記憶手段に記憶されている情報に従って回転制御手段を制御し、前記情報に応じて冷却ファンの回転を変化させる制御手段１０９と、を具備している。【選択図】図１
2018077799.tif 000002
【特許請求の範囲】
【請求項１】
筐体内部に設けられ、発熱を伴う電子機器と、
前記筐体内部を冷却する冷却ファンと、
前記冷却ファンの回転を制御する回転制御手段と、
所定の情報を記憶する記憶手段と、
前記記憶手段に記憶されている情報の出力を指示する指示手段と、
前記指示手段の指示に基づいて前記記憶手段に記憶されている情報に従って前記回転制
御手段を制御し、前記情報に応じて冷却ファンの回転を変化させる制御部と、
を有する情報処理装置。
【請求項２】
前記記憶手段は、当該情報処理装置の識別情報を記憶する識別情報記憶部を有する請求
項１記載の情報処理装置。
【請求項３】
前記記憶手段は、当該情報処理装置の内部状態に基づく情報を記憶する内部状態情報記
憶部を有する請求項１記載の情報処理装置。
【請求項４】
前記記憶手段は、当該情報処理装置の識別情報を記憶する識別情報記憶部及び内部状態
に基づく情報を記憶する内部状態情報記憶部を有し、前記制御部は前記指示手段の指示に
基づいて、前記記憶手段から情報処理装置の識別情報または内部状態に基づく情報を選択
的に読み出して前記回転制御手段を制御する請求項１記載の情報処理装置。
【請求項５】
前記回転制御手段は前記記憶手段に記憶されている情報に基づいて前記冷却ファンの回
転を周期的に変化させるとともに、前記記憶手段から読み出した情報処理装置の識別情報
または内部状態に基づく情報に応じて、前記冷却ファンの回転の周期を異ならせる請求項
４記載の情報処理装置。
【請求項６】
冷却ファンの回転音の断続するパターンに対応して、パターンと当該パターンが表す所
定の情報とを対応づけたパターンデータを有し、携帯可能な情報処理端末のコンピュータ
に、
集音部を介して入力された冷却ファンの回転音の断続パターンと前記パターンデータと
を比較するステップと、
比較した結果、一致するパターンに対応した情報を出力するステップと、
を行わせるプログラム。
【発明の詳細な説明】
【技術分野】
【０００１】
本発明の実施形態は、情報処理装置およびプログラムに関する。
【背景技術】
【０００２】
従来、情報処理装置のシリアル番号等の識別方法として、シリアル番号を印字したシー
ルを情報処理装置に貼付する方法や、情報処理装置の外装に設けられた表示部（液晶ディ
スプレイ）による表示方法、ＬＥＤによる表示方法がある。また、情報処理装置内部にて
異常状態などが発生した場合は表示部による表示方法、ＬＥＤによる表示方法に加えて、
ブザーの警告音による表示方法がある。
【０００３】
しかし、シリアル番号を印字したシール、表示部、ＬＥＤによる表示方法では、情報処
理装置を設置した場所によっては表示が見えない場合がある。また、ブザーによる警告音
を用いた表示方法の場合、情報処理装置内部の温度状態など詳細な情報を得ることは困難
であるという問題がある。
【先行技術文献】
【特許文献】
【０００４】
【特許文献１】特開２００４−１１１０８８号公報
【発明の概要】
【発明が解決しようとする課題】
【０００５】
本発明が解決しようとする課題は、設置した場所によらずに、容易に情報処理装置に基
づく情報を取得することを可能とする情報処理装置を提供する。
【０００６】
また、本発明が解決しようとする課題は、設置した場所によらずに、容易に情報処理装
置に基づく情報を取得することを可能とするプログラムを提供する。
【課題を解決するための手段】
【０００７】
上記課題を解決するため実施形態の情報処理装置は、筐体内部に設けられ、発熱を伴う
電子機器と、前記筐体内部を冷却する冷却ファンと、前記冷却ファンの回転を制御する回
転制御手段と、所定の情報を記憶する記憶手段と、前記記憶手段に記憶されている情報の
出力を指示する指示手段と、前記指示手段の指示に基づいて前記記憶手段に記憶されてい
る情報に従って前記回転制御手段を制御し、前記情報に応じて冷却ファンの回転を変化さ
せる制御手段と、を具備している。
【０００８】
上記課題を解決するため実施形態のプログラムは、冷却ファンの回転音の断続するパタ
ーンに対応して、パターンと当該パターンが表す所定の情報とが対比したパターンデータ
を有し、携帯可能な情報処理端末のコンピュータに、集音部を介して入力された冷却ファ
ンの回転音の断続パターンと前記パターンデータとを比較するステップと、比較した結果
、一致するパターンに対応した情報を出力するステップと、を行わせる。
【図面の簡単な説明】
【０００９】
【図１】第１の実施形態である情報処理装置の構成図。
【図２】第１の実施形態である情報処理装置の外観の斜視図。
【図３】第１の実施形態である情報処理装置のフローチャートの図。
【図４】第１の実施形態である情報処理装置の冷却ファンの回転周期の図。
【図５】第２の実施形態である情報処理装置の構成図。
【図６】第２の実施形態である情報処理装置のフローチャートの図。
【図７】第２の実施形態である情報処理装置の冷却ファンの回転周期の図。
【図８】第３の実施形態である情報処理装置の構成図。
【図９】第３の実施形態である情報処理装置の第１の例のフローチャートの図。
【図１０】第３の実施形態である情報処理装置の第２の例のフローチャートの図。
【図１１】第３の実施形態である情報処理装置の冷却ファンの回転周期の図。
【図１２】第４の実施形態である情報処理装置と情報処理端末との相関図。
【図１３】第４の実施形態である情報処理端末の内部機構の構成図。
【図１４】第４の実施形態である情報処理端末の処理のフローチャートの図。
【発明を実施するための形態】
【００１０】
以下、情報処理装置の実施形態を図面に基づき説明する。
【００１１】
（第１の実施形態）
図１は第１の実施形態である情報処理装置の構成図である。本実施形態の情報処理装置
は筐体１００の内部に設けられた発熱を伴う電子機器１０１と、当該電子機器１０１およ
び筐体１００内部を冷却する冷却ファン１０２と、電源回路１０３と、モジュール部１０
４と、識別情報記憶部（記憶手段）１０５と、スイッチ（指示手段）１０７とを有してい
る。
【００１２】
モジュール部１０４は冷却ファン１０２と電源回路１０３と識別情報記憶部１０５とス
イッチ１０７とに接続されている。
【００１３】
電源回路１０３はモジュール部１０４に電圧を供給し、モジュール部１０４を介して冷
却ファン１０２に電圧を供給する。
【００１４】
識別情報記憶部１０５は本実施形態である情報処理装置のシリアル番号等、識別情報を
記憶する記憶部である。識別情報記憶部１０５の具体例はメモリなどがあるが本実施形態
および以下の実施形態において、識別情報記憶部１０５はメモリに限定されない。
【００１５】
スイッチ１０７は識別情報記憶部１０５に記憶されている情報の出力をモジュール部１
０４に指示する機構である。
【００１６】
モジュール部１０４は回転制御回路（回転制御手段）１０８と制御部１０９とを有して
いる。回転制御回路１０８は冷却ファン１０２の回転を制御する制御回路である。制御部
１０９はスイッチ１０７による指示に基づいて識別情報記憶部１０５に記憶されている情
報に従って、回転制御回路１０８を制御する回路である。
【００１７】
図２は第１の実施形態である情報処理装置の外観の斜視図である。図２の（ａ）（ｂ）
はスイッチ１０７の構造および筐体１００への配置の例である。本実施形態の情報処理装
置は前面（正面）に冷却ファン１０２やスイッチ１０７（１０７ａ、１０７ｂ）、電源ス
イッチ、ＨＤＤ、光学ドライブなどが配置されている。
【００１８】
図２（ａ）は冷却ファンの近傍に押下可能なボタンによるスイッチ１０７ａを有してい
る。この情報処理装置では、スイッチ１０７ａを押下していない場合は通常動作として冷
却ファン１０２は筐体１００の内部および電子機器１０１を冷却している。図２（ｂ）は
冷却ファンの近傍に溝部をスライド可能な軸部を設けたスイッチ１０７ｂを有している。
ただし、冷却ファン１０２の個数やスイッチ１０７による選択方法、冷却ファン１０２と
スイッチ１０７の配置関係については図２（ａ）（ｂ）に限定されない。
【００１９】
図３は第１の実施形態である情報処理装置の動作の遷移（フローチャート）の図である
。図３（ａ）は図２（ａ）の押下可能なボタンによるスイッチ１０７ａを有した情報処理
装置のフローチャートである。
【００２０】
本実施形態の情報処理装置は使用者によりスイッチ１０７ａが押下されていない場合（
ステップＳ１００のＮＯ）は通常状態であり、冷却ファン１０２は筐体１００内部および
電子機器１０１の冷却を継続して行う（ステップＳ１０２）。
【００２１】
使用者によりスイッチ１０７ａが押下された場合（ステップＳ１００のＹＥＳ）、制御
部１０９は識別情報記憶部１０５からシリアル番号等の識別情報を読み出し（ステップＳ
１０３）、読み出した情報に従い回転制御回路１０８へ供給する電圧のＯＮ／ＯＦＦを制
御する（ステップＳ１０４）。これにより回転制御回路１０８は冷却ファン１０２の回転
を変化させる（ステップＳ１０５）。
【００２２】
図３（ｂ）は図２（ｂ）の溝部をスライド可能な軸部を設けたスイッチ１０７ｂを有し
た情報処理装置のフローチャートである。当該情報処理装置は使用者によりスイッチ１０
７ｂの軸部を溝部に沿ってスライドすることにより筐体１００内部や電子機器１０１の冷
却をする通常状態か、識別情報記憶部１０５から情報を読み出す指示状態かを選択する。
【００２３】
一例として本実施形態のスイッチ１０７ｂの軸部が溝部の右端に位置する場合は通常状
態であり、左端に位置する場合は識別情報記憶部１０５に記憶されている情報の出力を指
示する指示状態であるとする。使用者によりスイッチ１０７ｂの軸部が溝部の右端にある
場合、即ち指示状態にない場合（ステップＳ１０１のＮＯ）は通常状態であり、冷却ファ
ン１０２は筐体１００内部および電子機器１０１の冷却を継続して行う（ステップＳ１０
２）。
【００２４】
使用者によりスイッチ１０７ｂの軸部が溝部の左端にある場合、即ち、指示状態にある
場合（ステップＳ１０１のＹＥＳ）は、制御部１０９は識別情報記憶部１０５からシリア
ル番号等の識別情報を読み出す（ステップＳ１０３）。読み出した情報に従い回転制御回
路１０８へ供給する電圧のＯＮ／ＯＦＦを制御する（ステップＳ１０４）。これにより回
転制御回路１０８は冷却ファン１０２の回転を変化させる（ステップＳ１０５）。
【００２５】
図４は第１の実施形態である情報処理装置の冷却ファンの回転周期の図であり、回転音
の断続のパターンを示している。横軸は時間軸であり、縦軸が１のときは冷却ファンが回
転しており、０のときは回転が止まっているときである。
【００２６】
制御部１０９は識別情報記憶部１０５から読み出した情報に基づいて、回転制御回路１
０８に印加する電圧を図４の周期のように印加をして、冷却ファン１０２の回転を変化さ
せる。識別情報記憶部１０５は以下の表１のような情報処理装置のシリアル番号（識別情
報）とそれに対応した情報を割り当てられたテーブルを有している。当該情報を割り当て
情報と称する。
【表１】
2018077799.tif 000003
例えば、ある情報処理装置の識別情報が「１２３４５ＸＹ」であり、予め割り当て情報
として「１００１０１」という情報が割り当てられている。また、別の情報処理装置の識
別情報は「６７８９０ＡＢ」であり、予め割り当て情報として「０１０１１０」という情
報が割り当てられている。
【００２７】
識別情報が「１２３４５ＸＹ」の情報処理装置はスイッチ１０７により識別情報を読み
出す指示があった場合は、制御部１０９が回転制御回路１０８に印加する電圧の周期を「
１００１０１」とし、これにより冷却ファン１０２の回転周期は図４のようになる。
【００２８】
識別情報が「６７８９０ＡＢ」の情報処理装置はスイッチ１０７により識別情報を読み
出す指示があった場合は、制御部１０９が回転制御回路１０８に印加する電圧の周期を「
０１０１１０」として、冷却ファン１０２の回転を変化させる。
【００２９】
冷却ファン１０２の回転の周期は冷却ファンを回転させるモータの追従によるため、最
少で２〜３秒程度となる。ただし、本実施形態および以下の実施形態において冷却ファン
の回転周期についてはこれに限定されない。
【００３０】
以上により、本実施形態の情報処理装置は冷却ファン１０２の回転周期により、識別情
報を外部に出力することができる。このため、情報処理装置の設置した場所によらずに、
容易に情報処理装置に基づく情報を取得することが可能となる。
【００３１】
（第２の実施形態）
図５は第２の実施形態の情報処理装置の構成図である。本実施形態の情報処理装置は第
１の実施形態の識別情報記憶部（記憶手段）１０５の代わりに内部状態情報記憶部（記憶
手段）１０６を有している。
【００３２】
内部状態情報記憶部１０６は本実施形態の情報処理装置の内部状態に基づく情報を記憶
する記憶部である。内部状態に基づく情報とは一例として、筐体１００内部の温度状態や
当該情報処理装置の稼働時間などがある。
【００３３】
内部状態情報記憶部１０６は具体例としてメモリなどがあるが本実施形態および以下の
実施形態において、内部状態情報記憶部１０６はメモリに限定されない。スイッチ１０７
は内部状態情報記憶部１０６に記憶されている情報の出力をモジュール部１０４に指示す
る機構である。
【００３４】
モジュール部１０４は回転制御回路（回転制御手段）１０８と制御部１０９とを有して
いる。回転制御回路１０８は冷却ファン１０２の回転を制御する制御回路である。制御部
１０９はスイッチ１０７による指示に基づいて内部状態情報記憶部１０６に記憶されてい
る情報に従って、回転制御回路１０８を制御する回路である。
【００３５】
本実施形態の外観の斜視図は図２の（ａ）（ｂ）と同様である。ただし、冷却ファン１
０２の個数やスイッチ１０７による選択方法、冷却ファン１０２とスイッチ１０７の配置
関係については図２（ａ）（ｂ）に限定されない。
【００３６】
図６は第２の実施形態である情報処理装置の動作の遷移（フローチャート）の図である
。図６（ａ）は図２（ａ）の押下可能なボタンによるスイッチ１０７ａを有した情報処理
装置のフローチャートである。本実施形態のフローチャートは第１の実施形態の識別情報
記憶部１０５から情報を読み出すステップ（ステップＳ１０３）を内部状態情報記憶部１
０６から読み出す処理（ステップＳ１１３）に置き換えたものである。そのため、第１の
実施形態と共通の処理（ステップＳ１００、Ｓ１０１、Ｓ１０２、Ｓ１０４、Ｓ１０５）
については説明を省略する。
【００３７】
図６（ａ）において、使用者によりスイッチ１０７ａが押下された場合（ステップＳ１
００のＹＥＳ）、制御部１０９は内部状態情報記憶部１０６から情報処理装置の内部状態
に基づく情報を読み出す（ステップＳ１１３）。
【００３８】
図６（ｂ）において、使用者によりスイッチ１０７ｂの軸部が溝部の左端にある場合、
即ち、指示状態にある場合（ステップＳ１０１のＹＥＳ）は、制御部１０９は内部状態情
報記憶部１０６から情報処理装置の内部状態に基づく情報を読み出す（ステップＳ１１３
）。
【００３９】
図７は第２の実施形態である情報処理装置の冷却ファン１０２の回転周期の図であり、
回転音の断続のパターンを示している。横軸は時間軸であり、縦軸が１のときは冷却ファ
ン１０２が回転しており、０のときは回転が止まっているときである。
【００４０】
制御部１０９は内部状態情報記憶部１０６から読み出した情報に基づいて、回転制御回
路１０８に印加する電圧を図４の周期のように印加をして、冷却ファン１０２の回転を変
化させる。制御部１０９は以下の表２のような情報処理装置の内部状態情報から情報を２
進数に変換する機能を有する。
【表２】
2018077799.tif 000004
例えば、情報処理装置の筐体内部の温度が４０℃であり、情報処理装置の稼働時間が１
０００時間（ｈ）であるとする。制御部１０９は、温度について４０を２進数に変換して
「００００００１０１０００」を算出し、稼働時間について１０００を２進数に変換して
「００１１１１１０１０００」を算出する。
【００４１】
制御部１０９は温度情報として、回転制御回路１０８に印加する電圧の周期を「０００
０００１０１０００」とした後に、稼働時間の情報として、回転制御回路１０８に印加す
る電圧の周期を「００１１１１１０１０００」とする。温度情報についての電圧制御と稼
働時間についての電圧制御との間は数秒の時間を空けても良い。
【００４２】
内部状態情報は筐体内部の温度や稼働時間に限定されない。例えば、情報処理装置のＨ
ＤＤの使用量、無停電電源装置（ＵＰＳ）の残容量などでも良い。
【００４３】
冷却ファン１０２の回転の周期は冷却ファン１０２を回転させるモータの追従によるた
め、最少で２〜３秒程度となる。ただし、本実施形態および以下の実施形態において冷却
ファン１０２の回転周期についてはこれに限定されない。
【００４４】
以上により、本実施形態の情報処理装置は冷却ファン１０２の回転周期により、筐体内
部の状態の情報を出力することができる。このため、情報処理装置を設置した場所によら
ずに、容易に情報処理装置に基づく情報を取得することが可能となる。
【００４５】
（第３の実施形態）
図８は第３の実施形態の情報処理装置の構成図である。本実施形態の情報処理装置は第
１の実施形態の識別情報記憶部（記憶手段）１０５と第２の実施形態の内部状態情報記憶
部（記憶手段）１０６とを有している。図８では記憶手段として、識別情報記憶部１０５
と内部状態情報記憶部１０６とを分けて記載しているが、同一のメモリ上に領域を分けて
、識別情報記憶部１０５と内部状態情報記憶部１０６とを構成しても良い。
【００４６】
スイッチ１０７は識別情報記憶部１０５または内部状態情報記憶部１０６に記憶されて
いる情報の出力をモジュール部１０４に指示する機構である。
【００４７】
モジュール部１０４は回転制御回路（回転制御手段）１０８と制御部１０９とを有して
いる。回転制御回路１０８は冷却ファン１０２の回転を制御する制御回路である。制御部
１０９はスイッチ１０７による指示に基づいて識別情報記憶部１０５または内部状態情報
記憶部１０６に記憶されている情報に従って、回転制御回路１０８を制御する回路である
。
【００４８】
図９は第３の実施形態である情報処理装置の動作の遷移（フローチャート）の図であり
、図２（ａ）の押下可能なボタンによるスイッチ１０７ａを有した情報処理装置のフロー
チャートである。
【００４９】
本実施形態の情報処理装置は使用者によりスイッチ１０７ａが押下されず、押下回数が
０の場合（ステップＳ１２０の「０」）は通常状態であり、冷却ファン１０２は筐体１０
０内部および電子機器１０１の冷却を継続して行う（ステップＳ１０２）。
【００５０】
使用者によりスイッチ１０７ａが１回押下された場合（ステップＳ１２０の「１」）、
制御部１０９は識別情報記憶部１０５からシリアル番号等の識別情報を読み出す（ステッ
プＳ１０３）。
【００５１】
使用者によりスイッチ１０７ａが２回以上、押下された場合（ステップＳ１２０の「２
以上」）、制御部１０９は内部状態情報記憶部１０６から情報処理装置の内部状態に基づ
く情報を読み出す（ステップＳ１１３）。
【００５２】
制御部１０９はスイッチ１０７ａによる指示手段により読み出した情報に従い、回転制
御回路１０８へ供給する電圧のＯＮ／ＯＦＦを制御する（ステップＳ１２４）。回転制御
回路１０８は冷却ファン１０２の回転を変化させる（ステップＳ１０５）。
【００５３】
図１０は第３の実施形態について図２（ｂ）の溝部をスライド可能な軸部を設けたスイ
ッチ１０７ｂを有した情報処理装置のフローチャートである。当該情報処理装置は使用者
によりスイッチ１０７ｂの軸部を溝部に沿ってスライドすることにより筐体１００内部や
電子機器１０１の冷却をする通常状態か、識別情報記憶部１０５から情報を読み出す指示
状態か、内部状態情報記憶部１０６から情報処理装置の内部状態に基づく情報を読み出す
指示状態かを選択する。
【００５４】
本実施形態の情報処理装置は使用者によりスイッチ１０７ｂの軸部が溝部の右端に位置
する場合（ステップＳ１２１の「右端」）は通常状態であり、冷却ファン１０２は筐体１
００内部および電子機器１０１の冷却を継続して行う（ステップＳ１０２）。
【００５５】
使用者によりスイッチ１０７ｂの軸部が溝部の中央に位置する場合（ステップＳ１２１
の「中央」）、制御部１０９は識別情報記憶部１０５からシリアル番号等の識別情報を読
み出す（ステップＳ１０３）。
【００５６】
使用者によりスイッチ１０７ｂの軸部が溝部の左端に位置する場合（ステップＳ１２１
の「左端」）、制御部１０９は内部状態情報記憶部１０６から情報処理装置の内部状態に
基づく情報を読み出す（ステップＳ１１３）。
【００５７】
制御部１０９はスイッチ１０７ｂによる指示手段により読み出した情報に従い、回転制
御回路１０８へ供給する電圧のＯＮ／ＯＦＦを制御する（ステップＳ１２４）。回転制御
回路１０８は冷却ファン１０２の回転を変化させる（ステップＳ１０５）。
【００５８】
図１１は第３の実施形態である情報処理装置の冷却ファン１０２の回転周期の図であり
、回転音の断続のパターンを示している。横軸は時間軸であり、縦軸が１のときは冷却フ
ァンが回転しており、０のときは回転が止まっているときである。図１１（ａ）は識別情
報記憶部１０５に記憶されている識別情報に基づく冷却ファンの回転周期の図であり、図
１１（ｂ）は内部状態情報記憶部１０６に記憶されている内部状態情報に基づく冷却ファ
ンの回転周期の図である。
【００５９】
制御装置１０９は識別情報記憶部１０５または内部状態情報記憶部１０６から読み出し
た情報に基づいて、回転制御回路１０８に印加する電圧を図１１（ａ）（ｂ）の周期のよ
うに印加をして、冷却ファンの回転を変化させる。識別情報記憶部１０５は表１のような
シリアル番号に対応する割り当て情報のテーブルを有し、情報処理装置のシリアル番号（
識別情報）を割り当てる。
【００６０】
制御部１０９は使用者がスイッチ１０７により情報処理装置の識別情報を読み込むよう
指示を受けると、表１の割り当て情報に基づいて回転制御回路１０８に印加する電圧を制
御して、冷却ファン１０２の回転を変化させる。
【００６１】
制御部１０９は使用者がスイッチ１０７により情報処理装置の内部状態情報を読み込む
よう指示を受けると、表２のように内部状態情報に基づいて２進数を算出し、算出値に基
づいて回転制御回路１０８に印加する電圧を制御して、冷却ファン１０２の回転を変化さ
せる。
【００６２】
なお、識別情報と内部状態情報とで回転周期を同一にしても良く、それぞれの回転周期
を異ならせても良い。識別情報と内部状態情報とでは内部状態情報の方が、情報量が大き
くなる傾向にあることから、識別情報に基づく回転周期を長くし、内部状態情報に基づく
回転周期を短くしても良い。
【００６３】
冷却ファンの回転の周期は冷却ファンを回転させるモータの追従によるため、最少で２
〜３秒程度となる。ただし、本実施形態および以下の実施形態において冷却ファンの回転
周期についてはこれに限定されない。
【００６４】
以上により、本実施形態の情報処理装置は冷却ファンの回転周期により、識別情報およ
び筐体内部の状態の情報を出力することができる。このため、設置した場所によらずに、
容易に情報処理装置に基づく情報を取得することが可能となる。
【００６５】
（第４の実施形態）
図１２は第４の実施形態である情報処理装置と情報処理端末との相関図である。情報処
理装置は第１の実施形態乃至第３の実施形態の情報処理装置のいずれかである。図１２で
は第３の実施形態の情報処理装置を表記している。本実施形態では情報処理装置の冷却フ
ァン１０２の回転音の断続パターンを情報処理端末２０１に接続された集音部３０１にて
集音し、情報処理端末２０１にて解析し、識別情報または内部状態情報を情報処理端末２
０１の表示部２０２に表示するものである。
【００６６】
情報処理端末２０１は例えば、スマートホンやタブレットＰＣ、ノートパソコンなどが
ある。ただし、情報処理端末２０１はこれらに限定されるものではない。
【００６７】
集音部３０１はマイクなど冷却ファン１０２の回転音を集音する装置である。
【００６８】
本実施形態の情報処理装置は図１１の回転周期にて冷却ファン１０２の回転を変化させ
る。このとき冷却ファン１０２は回転により回転音を発する。集音部３０１は冷却ファン
１０２の回転音を集音し、回転音を電圧に変換して情報処理端末２０１に伝送する。
【００６９】
情報処理端末２０１は以下の表３のような割り当て情報と当該割り当て情報に対応する
情報処理装置のシリアル番号（識別情報）とのテーブルを持っている。
【表３】
2018077799.tif 000005
シリアル番号「１２３４５ＸＹ」の情報処理装置がスイッチ１０７による指示により、
識別情報として「１００１０１」の出力を制御部１０９が出力し、冷却ファンの回転を変
化させたとする。冷却ファン１０２は識別情報の「１００１０１」について、１のときは
回転して回転音を発し、０のときは回転せず回転音を発生させない。
【００７０】
集音部３０１は冷却ファンの回転音の断続パターンを集音し、断続パターンから識別情
報の「１００１０１」を電気信号に変換し、情報処理端末２０１へ伝送する。
【００７１】
情報処理端末２０１は集音部３０１より伝送された電気信号「１００１０１」を解析す
る。図１３は第４の実施形態である情報処理端末２０１の機能ブロック図である。情報処
理端末２０１は表示部２０２と判定部２０３と演算部２０４と記憶部２０５と比較部２０
６とを有する。
【００７２】
判定部２０３は集音部３０１より伝送された断続パターンがある場合は指示状態のため
、断続パターンの周期より、指示状態が識別情報の読み出しであるか、内部状態情報の読
み出しであるかを判定する。
【００７３】
演算部２０４は情報処理装置１００が内部状態情報として温度情報を出力している状態
のとき、集音部３０１より伝送された電気信号を２進数として、１０進数に変換する回路
である。例えば、表２のように「００００００１０１０００」が集音部３０１から伝送さ
れた場合、演算部２０４は「００００００１０１０００」を１０進数に変換して「４０」
を算出する。これにより情報処理装置１００の内部温度が４０℃であることを算出するこ
とができる。
【００７４】
記憶部２０５は表３の割り当て情報のパターンデータと当該割り当て情報に対応する情
報処理装置のシリアル番号（識別情報）とのテーブルを記憶している。
【００７５】
比較部２０６は情報処理装置１００が識別情報を出力している状態のとき、集音部３０
１より伝送された電気信号と記憶部２０５に記憶されている表３の割り当て情報のパター
ンとを比較して、電気信号が表３のテーブルのある値と一致したとき、当該識別情報から
情報処理装置１００の識別情報を判定する。
【００７６】
表示部２０２は演算部２０４にて算出された内部状態や、比較部２０５にて判定された
識別情報を表示する。
【００７７】
図１４は本実施形態の情報処理端末２０１が情報処理装置１００の識別情報または内部
状態情報を表示する処理の遷移（フローチャート）の図である。即ち情報処理端末２０１
内のコンピュータによるプログラムの動作を示したものである。
【００７８】
情報処理端末２０１は集音部３０１より電気信号を受信した場合、当該電気信号に断続
パターンがあるか否かを判定部２０３にて判定する（ステップＳ２０１）。電気信号に断
続パターンが存在しない場合（ステップＳ２０１のＮＯ）、判定部２０２は情報処理装置
１００が通常状態にあると判定し、処理を終了する。電気信号に断続パターンが存在する
場合（ステップＳ２０１のＹＥＳ）、判定部２０２は情報処理装置１００が指示状態にあ
ると判定し、断続パターンの周期から情報処理装置１００が識別情報か内部状態情報のい
ずれかを出力しているかを判定する（ステップＳ２０２）。
【００７９】
判定部２０３が情報処理装置１００から識別情報を出力していると判定した場合（ステ
ップＳ２０２の「識別情報」）、比較部２０６は記憶部２０５より割り当て情報と識別情
報とのテーブルを参照し（ステップＳ２０３）、電気信号の断続パターンがテーブルのど
のパターンと一致するか比較をする（ステップＳ２０４）。そして、一致したパターンに
対応した識別情報を表示部２０２に表示する（ステップＳ２０５）。
【００８０】
判定部２０３が情報処理装置１００から内部状態情報を出力していると判定した場合（
ステップＳ２０２の「内部状態情報」）、演算部２０４は集音部３０１より伝送された電
気信号を２進数として、１０進数に変換する（ステップＳ２０６）。変換した値を情報処
理装置の内部状態情報（温度情報）として表示部２０２に表示する（ステップＳ２０７）
。
【００８１】
本実施形態では情報処理端末２０１は情報処理装置１００が識別情報を出力しているか
、内部状態情報を出力しているかを判定部２０３にて判定が可能としているが、いずれか
一方のみを出力するとしても良い。即ち識別情報のみを判定して表示しても良く、内部状
態情報のみを演算して表示するとしても良い。
【００８２】
これにより、情報処理端末２０１を用いて、情報処理装置１００の識別情報、内部状態
情報を表示することができ、情報処理装置の設置した場所によらずに、容易に情報処理装
置に基づく情報を取得することが可能となる。
【００８３】
本発明のいくつかの実施形態を説明したが、これらの実施形態は、例として提示したも
のであり、発明の範囲を限定することは意図していない。これら新規な実施形態は、その
ほかの様々な形態で実施されることが可能であり、発明の要旨を逸脱しない範囲で、種々
の省略、置き換え、変更を行うことができる。これら実施形態やその変形は、発明の範囲
や要旨に含まれるとともに、特許請求の範囲に記載された発明とその均等の範囲に含まれ
る。
【符号の説明】
【００８４】
１００‥‥筐体、
１０１‥‥電子回路、
１０２‥‥冷却ファン、
１０３‥‥電源回路、
１０４‥‥モジュール部、
１０５‥‥識別情報記憶部、
１０６‥‥内部状態情報記憶部、
１０７、１０７ａ、１０７ｂ‥‥スイッチ、
１０８‥‥回転制御回路、
１０９‥‥制御部、
２０１‥‥情報処理端末、
２０２‥‥表示部、
２０３‥‥判定部、
２０４‥‥演算部、
２０５‥‥記憶部、
２０６‥‥比較部、
３０１‥‥集音部（マイク）。
【図１】
2018077799.tif 000006
【図２】
2018077799.tif 000007
【図３】
2018077799.tif 000008
【図４】
2018077799.tif 000009
【図５】
2018077799.tif 000010
【図６】
2018077799.tif 000011
【図７】
2018077799.tif 000012
【図８】
2018077799.tif 000013
【図９】
2018077799.tif 000014
【図１０】
2018077799.tif 000015
【図１１】
2018077799.tif 000016
【図１２】
2018077799.tif 000017
【図１３】
2018077799.tif 000018
【図１４】
2018077799.tif 000019